(57)【要約】【課題】長時間に亘り安全に連続的に点灯させることのできる集魚灯装置を提供し、当該集魚灯装置を用いて夜間における魚の集光性に基づいて魚を効率良く捕獲することのできる漁具並びに漁法を提供することを目的とする。【解決手段】集魚灯１１と集魚灯１１に電力を供給する電源部９とを備えた集魚灯装置８であって、前記電源部９は気密・水密に開閉自在なケース１２内に、前記集魚灯１１に電力を供給するバッテリ１４と、当該バッテリ１４より漏洩する有害ガスを前記ケース１２外に排出させるエアポンプ１７とを有することを特徴とする。【選択図】図３
2010178710.tif 000002
【特許請求の範囲】
【請求項１】
集魚灯と集魚灯に電力を供給する電源部とを備えた集魚灯装置であって、
前記電源部は気密・水密に開閉自在なケース内に、前記集魚灯に電力を供給するバッテリと、当該バッテリより漏洩する有害ガスを前記ケース外に排出させるエアポンプとを有することを特徴とする集魚灯装置。
【請求項２】
請求項１に記載の集魚灯装置を備えていることを特徴とする漁具。
【請求項３】
請求項１に記載の集魚灯装置を備えている漁具を用いて漁獲することを特徴とする漁法。
【請求項４】
運動場に魚を誘導する垣網を備えている定置網漁具において、前記垣網の近傍に請求項１に記載の集魚灯装置を設置し、当該集魚灯装置の集魚灯を夜に点灯させて魚を集魚させるとともに明け方に魚が前記垣網を認識して誘導されて動き出すまで魚を垣網の近傍に集魚させておくように点灯制御することを特徴とする定置網漁具。
【請求項５】
運動場に魚を誘導する垣網の近傍に設置した請求項１に記載の集魚灯装置の集魚灯を点灯制御させることにより、前記集魚灯を夜に点灯させて魚を垣網の近傍に集魚させるとともに明け方に魚が当該垣網を認識して誘導されて動き出すまで点灯を継続させて魚を垣網の近傍に集魚させておき、明け方に前記垣網を認識した魚が前記垣網に誘導されて前記運動場に向けて動き出すことにより魚を捕獲することを特徴とする定置網漁法。
【発明の詳細な説明】
【技術分野】
【０００１】
本発明は、集魚灯装置および集魚灯装置を用いた漁具並びに漁法に係り、特に、夜間における魚の集光性（趨光性）に基づいて魚を捕獲するのに好適な集魚灯装置および集魚灯装置を用いた漁具並びに漁法に関する。
【背景技術】
【０００２】
一般に、魚の夜間における集光性に基づいて漁獲するために各種の照明方法が採用されている。例えば、烏賊釣り漁船のように船上に集魚灯を設けたり、釣糸に水中集魚灯を取付けていた（特許文献１参照）。
【０００３】
また、魚を捕獲する漁法の一種として定置網漁法が知られている。この定置網漁法においては、沿岸部などの漁場に定置網を敷設し、魚群の来遊・入網をまって魚を捕獲するようになっている。
【０００４】
このような定置網においては、垣網によって魚を運動場まで誘導し、最終的に当該運動場から箱網に魚を誘導して捕獲するように形成されている（特許文献２、図３参照）。
【先行技術文献】
【特許文献】
【０００５】
【特許文献１】特開２００７−２３６２２０号
【特許文献２】特開平０７−２０３８０７号
【発明の概要】
【発明が解決しようとする課題】
【０００６】
集魚灯を利用した漁法として集魚灯を水中において長時間点灯させることが要望されている。
【０００７】
ところが、集魚灯の電源を陸上の施設や船上の施設より得ることができない沖合に集魚灯を設置する場合には、集魚灯に電力を供給する電源部として気密・水密なケース内にバッテリを内装した構成の電源部が必要とされるが、バッテリから微小ではあるが漏洩する水素ガスがケース内に充満して何らかの原因で爆発する危険性がある。
【０００８】
そのため、爆発の危険性のない電源部を備えた集魚灯装置の開発が要望されていた。
【０００９】
また、定置網においては、垣網によって魚を運動場まで誘導することにより魚を捕獲するものであるが、魚が垣網を視認できない夜においては十分な作用を発揮することができなかった。
【００１０】
そのため海流や潮流に乗って移動している魚を夜間において効率よく捕獲することができなかった。
【００１１】
本発明は、これらの点に鑑みてなされたものであり、長時間に亘り安全に連続的に点灯させることのできる集魚灯装置を提供し、当該集魚灯装置を用いて夜間における魚の集光性に基づいて魚を効率良く捕獲することのできる漁具並びに漁法を提供することを目的とするものである。
【課題を解決するための手段】
【００１２】
前記目的を達成するために本発明の発明者等が鋭意研究した結果、バッテリより漏洩する有害ガスをケース外に強制的に排出することにより安全なん集魚灯装置を得ることができこと、並びに魚が夜に集光性によって集魚灯の光に集光して当該集魚灯の近くに集魚しており、明け方に垣網を認識すると当該垣網によって誘導されて移動するという魚の習性を発見し本発明を完成させた。
【００１３】
従って、本発明の集魚灯装置は、集魚灯と集魚灯に電力を供給する電源部とを備えた集魚灯装置であって、前記電源部は気密・水密に開閉自在なケース内に、前記集魚灯に電力を供給するバッテリと、当該バッテリより漏洩する有害ガスを前記ケース外に排出させるエアポンプとを有することを特徴とする。
【００１４】
このように形成された集魚灯装置によれば、エアポンプによってバッテリより漏洩する有害ガスをケース外に強制的に排出することができ、爆発等の危険のない集魚灯装置を得ることができる。
【００１５】
また、本発明の漁具は、前記集魚灯装置を備えていることを特徴とし、本発明の漁法は、前記集魚灯装置を備えている漁具を用いて漁獲することを特徴とする。
【００１６】
このように形成することにより、極めて安全性の高い集魚灯装置を用いて漁具を形成し、当該漁具を用いた漁法によって漁獲することにより漁獲効率の高めることができる。
【００１７】
更に、本発明の定置網漁具は、運動場に魚を誘導する垣網を備えている定置網漁具において、前記垣網の近傍に請求項１に記載の集魚灯装置を設置し、当該集魚灯装置の集魚灯を夜に点灯させて魚を集魚させるとともに明け方に魚が前記垣網を認識して誘導されて動き出すまで魚を垣網の近傍に集魚させておくように点灯制御することを特徴とする。
【００１８】
また、本発明の定置網漁法は、運動場に魚を誘導する垣網の近傍に設置した請求項１に記載の集魚灯装置の集魚灯を点灯制御させることにより、前記集魚灯を夜に点灯させて魚を垣網の近傍に集魚させるとともに明け方に魚が当該垣網を認識して誘導されて動き出すまで点灯を継続させて魚を垣網の近傍に集魚させておき、明け方に前記垣網を認識した魚が前記垣網に誘導されて前記運動場に向けて動き出すことにより魚を捕獲することを特徴とする。
【００１９】
このように形成されている定置網漁具および定置網漁法によれば、定置網漁具を定置網漁法によって用いることにより魚を効率良く捕獲することができる。
【００２０】
更に説明すると、定置網漁具における運動場に魚を誘導する垣網の近傍に設置した集魚灯装置の集魚灯を点灯制御させることにより魚を捕獲することができる。
【００２１】
具体的には、前記集魚灯を夜に点灯させて魚を垣網の近傍に集魚させるとともに明け方に魚が当該垣網を認識して誘導されて動き出すまで点灯を継続させて魚を垣網の近傍に集魚させておき、明け方に前記垣網を認識した魚が前記垣網に誘導されて前記運動場に向けて動き出すことにより魚を捕獲することができる。
【発明の効果】
【００２２】
このように本発明の定置網漁具および定置網漁法によれば、長時間に亘り安全に連続的に点灯させることのできる集魚灯装置を得ることができ、当該集魚灯装置を用いて夜間における魚の集光性と垣網による魚の誘導性によって魚を効率よく捕獲することができるという優れた効果を奏する。
【図面の簡単な説明】
【００２３】
【図１】本発明に係る定置網漁具の実施形態を示す平面図
【図２】本発明に係る定置網漁具の実施形態を示す斜視図
【図３】本発明に係る集魚灯装置の実施形態を示すブロック図
【図４】本発明に係る集魚灯装置の実施形態を示すケースの一部を省略した状態の斜視図
【図５】本発明に係る定置網漁具と従来例の定置網による鯖の漁獲量を示す比較グラフ
【図６】本発明に係る定置網漁具と従来例の定置網による鰺の漁獲量を示す比較グラフ
【図７】本発明に係る定置網漁具と従来例の定置網によるウルメ鰯の漁獲量を示す比較グラフ
【発明を実施するための形態】
【００２４】
以下、本発明に係る定置網漁具および定置網漁法の実施形態について、図１から図７を参照して説明する。
【００２５】
図１から図４は本発明の集魚灯装置とその集魚灯装置を用いた漁具の１種である定置網漁具の１実施形態とを示す。
【００２６】
図１および図２に示すように、本発明の定置網１は従前から存在する公知の定置網と同様に形成されている。この定置網１は、垣網２、運動場３、箱網６等を備えている。更に説明すると、運動場３は上部開口３ａを有する比較的長い複数の直線により平面略矩形形状等に形成されている。一枚の直線上に立てられた垣網２は、その先端部を運動場３の網入り４の途中まで、または、運動場３の内部まで達するようにして形成されている。運動場３より奥部は先細とされ、筒状に形成された昇り５が順に設けられており、この昇り５の先端部には上部開口６ａを有する平面略矩形形状等に形成された有底の箱網６が連結されている。この昇り５と箱網６との連結部には、昇り５の先端部が箱網返し７を形成するようにして昇り５の先端部の開口が箱網６内に達するようにして固定されている。昇り５には運動場３側から箱網６側に向けて底面が次第に上昇する昇り口５ａが設けられている。さらに、箱網６の先端部には、必要に応じて所望の袋網（図示せず）が配設されている。そして、このように構成された定置網１は、図示しない適宜な綱類、浮子、アンカ等により漁場の所望の位置に敷設されるようになっている。
【００２７】
本発明においては、網入口４から例えば約５０ｍ離れた網入口４の近傍の垣網２の上端部の両側に集魚灯装置８を設けている。この集魚灯装置８は、水面部分に浮遊可能な電源部９と当該電源部９からケーブル１０をもって水中に吊り下げて水深約５〜２０ｍ部分に設置される集魚灯１１とによって形成されている。集魚灯１１としては、ハロゲンランプ、メタルハイドランプ、ＬＥＤ等を用いるとよく、また指向性のないものが好適である。電源部９は、図３および図４に示すように、気密・水密に開閉自在とされる矩形箱状のケース１２を有している。当該ケース１２は上部に開閉蓋１２ａを有しており、上部外周に固着した浮子１３によって水面に浮遊できるように形成されている。ケース１２の内部には、底部に２個のバッテリ１４が交換自在に設置されており、バッテリ１４からケーブル１０をもって集魚灯１１に電力が供給される。バッテリ１４は、例えば、箱網６内の魚を取り出す際に交換するとよい。２つのバッテリ１４は制御部１５に設けたタイマ１６によってＯＮ・ＯＦＦ制御される。タイマ１６の設定時間は、集魚灯１１を夜に点灯させて魚を集魚させるとともに明け方に魚が垣網２を認識して誘導されて動き出すまで魚を垣網の近傍に集魚させておく点灯時間とするとよい。例えば、集魚灯１１の点灯開始時間は、魚が夜間に接餌する時間である８時から１０時位いとするとよく、集魚灯１１の消灯時間は、季節に応じて明け方に魚が垣網２を認識して誘導されて動き出す明け方の３時から５時とするとよい。また、光に趨光性を有する魚としては、鯖、鯵、うるめ鰯等を挙げることができる。また、ケース１２内にはバッテリ１４から極微量漏洩する可能性のある水素ガス等の有害ガスをケース外に排出するためのエアポンプ１７が設置されている。エアポンプ１７より導出されている排出路１８は、開閉蓋１２ａに固着した４個の排気筒１９に途中が分岐して接続されている。各排気筒１９には海水の侵入を阻止するためのフィルタ若しくは逆止弁（共に図示せず）が設けられている。また、エアポンプ１７は制御部１５に接続されており、所定時間毎に稼動させられて有害ガスの排出を行うように運転制御されるようになっている。また、図示していないが、ケース１２内の有害ガスを吸着除去するための活性炭、ゼオライト等の吸着剤をケース１２内に内蔵するとよい。なお、集魚灯１１を垣網２の両側に設置したが、一方のみでもよい。
【００２８】
次に、本実施形態の集魚灯装置８とその集魚灯装置８を用いた漁具の１種である定置網漁具を用いて行われる定置網漁法による魚の捕獲方法を説明する。
【００２９】
図１から図４に示すように設置されている定置網漁具の垣網２部分に装着されている集魚灯装置８の電源部９内に設置されている制御部１５におけるタイマ１６が作動することにより、夜になると垣網２の近傍に設置された集魚灯１１が点灯を開始する。集魚灯１１より指向性なく放射される光により魚が集魚されて、その集魚灯１１の近く、即ち垣網２の近傍に魚が徐々に集魚されてその場所に留まる。この集魚灯１１の近くにおける集魚状態は、魚の集光性により明け方になるまで継続される。明け方になって垣網２を認識した魚は、垣網２に誘導されて運動場３に向けて動き出し、網入口４から運動場３内に入った魚は運動場３内を回遊している間に昇り５によって箱網６内に誘導される。箱網６内に誘導された魚は、箱網返し７により運動場３に戻ることを阻止される。
【００３０】
制御部１５内のタイマ１６は、明け方に魚が垣網２によって運動場３に向けて誘導される時間になると集魚灯１１への電力供給を停止させる。
【００３１】
箱網６内の魚は少なくとも１日１回の取り出しによって取り出される。この魚の取り出しの際に、集魚灯装置８の電源部９を形成するケース１２内のバッテリ１４が必要に応じて交換されて、集魚灯１１による魚の捕獲を継続的に実施できるようにされる。バッテリ１４の設定から次の交換までの間においては、制御部１５によってエアポンプ１７が所定時間毎に間欠的に稼動されてケース１２内の有害ガスが排出路１８および排気筒１９を順位通してケース１２外へ排出される。また、ケース１２内に装填された吸着剤に有害ガスが吸着される。これらのエアポンプ１７および吸着剤のガス排除作用によって電源部９が爆発することを確実に防止されるので、安全性が極めて高くなる。
【００３２】
また、趨光性のある魚としての鯖、鯵、うるめ鰯に本実施形態の集魚灯装置８とその集魚灯装置８を用いた漁具の１種である定置網漁具を用いた場合の日と従来の定置網の通り集魚灯装置８を用いない場合の日の魚の捕獲量について比較試験を行った結果を図５から図７に示す。図５から図７より、本発明方法の場合の捕獲量が従来方法の捕獲量の２から４倍に達し、本発明によれば漁獲量が大きく向上することがわかった。後日の試験で、浮魚と同様な効果が得られた。これにより本発明によれば、趨光性のある魚に対する捕獲効率を非常に高くすることが判明した。
【００３３】
なお、本発明は、前述した実施の形態に限定されるものではなく、必要に応じて種々の変更が可能である。例えば、完全に有害ガスを発生しないバッテリが開発された場合には、当該バッテリを本発明のバッテリ１４と置換して用いることもできる。この場合、ケース１２を完全密閉できるように形成して、ポンプを省いてもよい。
【符号の説明】
【００３４】
１  定置網
２  垣網
３  運動場
８  集魚灯装置
９  電源部
１１  集魚灯
１２  ケース
１４  バッテリ
１７  エアポンプ
【図１】
2010178710.tif 000003
【図２】
2010178710.tif 000004
【図３】
2010178710.tif 000005
【図４】
2010178710.tif 000006
【図５】
2010178710.tif 000007
【図６】
2010178710.tif 000008
【図７】
2010178710.tif 000009